(57)【要約】【課題】長尺物収容部材内における長尺物の敷設又は長尺物収容部材の敷設に係る機能を発揮することができる機能部を、同長尺物収容部材に容易に設けることができる取着体及び同取着体を備えた長尺物収容装置を提供する。【解決手段】長尺物収容装置１１はトラフ１２と、サドル１３とより構成されている。トラフ１２はベース体１４とカバー体１５とを組み付けて構成されている。ベース体１４にはベース外側突条１４ａが形成されている。サドル１３を形成する取着体本体１６には嵌合部２０が形成され、その嵌合部２０をベース外側突条１４ａの内側に嵌合することにより、取着体本体１６がベース体１４に取着される。取着体本体１６により保持部材１７をベース体１４に設けることができ、その保持部材１７によりケーブルＫがトラフ１２内に保持される。【選択図】      図４
2004274882.tif 000002
【特許請求の範囲】
【請求項１】
長尺状をなすベース体及びカバー体より筒状に構成され、内部に長尺物を収容可能に形成されているとともに、前記ベース体及びカバー体のうちの少なくともいずれか一方に、その長さ方向に対して交差する方向に延びる突部が前記長さ方向に沿って複数に形成された長尺物収容部材に取着される取着体であって、
取着体本体には、前記突部の内側に嵌合可能な嵌合部と、長尺物収容部材内における長尺物の敷設又は長尺物収容部材の敷設に係る機能を発揮する機能部とが一体に設けられ、前記ベース体及びカバー体のうちの少なくともいずれか一方の突部の内側に前記嵌合部が嵌合された状態で、長尺物収容部材に前記機能部を設けることを特徴とする長尺物収容部材に取着される取着体。
【請求項２】
前記機能部は、長尺物収容部材内における長尺物の敷設に係る機能として、当該長尺物収容部材内に敷設された長尺物を支持する機能を発揮する支持部であることを特徴とする請求項１に記載の長尺物収容部材に取着される取着体。
【請求項３】
前記長尺物は同軸ケーブルに支持線が一体形成されたものであり、前記支持部は前記同軸ケーブルを支持可能に形成されているとともに、前記支持線を収容するための逃がし部が形成されていることを特徴とする請求項２に記載の長尺物収容部材に取着される取着体。
【請求項４】
前記機能部は、長尺物収容部材内における長尺物の敷設に係る機能として、長尺物収容部材内への長尺物の引込みを補助する機能を発揮する引込ローラであることを特徴とする請求項１に記載の長尺物収容部材に取着される取着体。
【請求項５】
前記機能部は、長尺物収容部材の敷設に係る機能として、当該長尺物収容部材の長さ方向における端部の開口を閉鎖する機能を発揮するエンドプレートであることを特徴とする請求項１に記載の長尺物収容部材に取着される取着体。
【請求項６】
前記機能部は、長尺物収容部材の敷設に係る機能として、当該長尺物収容部材の長さ方向における端部を連結体に連結する機能を発揮する連結部であることを特徴とする請求項１に記載の長尺物収容部材に取着される取着体。
【請求項７】
前記機能部は、長尺物収容部材内における長尺物の敷設に係る機能として、当該長尺物収容部材内に敷設された複数の長尺物を分離すべく同長尺物収容部材内を仕切る機能を発揮する仕切部であることを特徴とする請求項１に記載の長尺物収容部材に取着される取着体。
【請求項８】
長尺状をなすベース体及びカバー体より筒状に構成され、内部に長尺物を収容可能に形成されているとともに、前記ベース体及びカバー体のうちの少なくともいずれか一方に、その長さ方向に対して交差する方向に延びる突部が前記長さ方向に沿って複数に形成された長尺物収容部材に取着される取着体であって、
取着体本体には、前記突部の内側に嵌合可能な嵌合部と、長尺物収容部材内における長尺物の敷設又は長尺物収容部材の敷設に係る機能を発揮する機能部材を取着体本体に取付けるための取付部とが一体に設けられ、前記ベース体及びカバー体のうちの少なくともいずれか一方の突部の内側に前記嵌合部が嵌合された状態で、前記取付部によって取着体本体に取付けられた機能部材により、長尺物収容部材に前記機能を発揮する機能部を設けることを特徴とする長尺物収容部材に取着される取着体。
【請求項９】
前記機能部材は、長尺物収容部材内における長尺物の敷設に係る機能として、当該長尺物収容部材内に敷設された複数の長尺物を分離すべく同長尺物収容部材内を仕切る機能を発揮する仕切板であり、前記取付部は仕切板に係合した取付部材を取着体本体に固定部材で取付けるための透孔又は仕切板を保持する仕切板保持部であることを特徴とする請求項８に記載の長尺物収容部材に取着される取着体。
【請求項１０】
前記機能部材は、長尺物収容部材内における長尺物の敷設に係る機能として、当該長尺物収容部材内に敷設された長尺物を保持する機能を発揮する保持部材であり、前記取付部は保持部材に設けられた係合部と係合可能な被係合部であることを特徴とする請求項８に記載の長尺物収容部材に取着される取着体。
【請求項１１】
前記嵌合部は、前記突部の内側に嵌合した状態で、当該突部の内側に形成された係止部に係止可能に形成されていることを特徴とする請求項１〜請求項１０のいずれか一項に記載の長尺物収容部材に取着される取着体。
【請求項１２】
長尺状をなすベース体及びカバー体より筒状に構成され、内部に長尺物を収容可能に形成されているとともに、前記ベース体及びカバー体のうちの少なくともいずれか一方に、その長さ方向に対して交差する方向に延びる突部が前記長さ方向に沿って複数に形成された長尺物収容部材と、
前記長尺物収容部材に取着される取着体とより構成され、
前記取着体は取着体本体を備え、同取着体本体には前記突部に嵌合される嵌合部と、長尺物収容部材内における長尺物の敷設又は長尺物収容部材の敷設に係る機能を発揮する機能部とが一体に設けられ、前記ベース体及びカバー体のうちの少なくともいずれか一方の突部の内側に前記嵌合部が嵌合されて長尺物収容部材に前記機能部が設けられていることを特徴とする長尺物収容装置。
【請求項１３】
長尺状をなすベース体及びカバー体より筒状に構成され、内部に長尺物を収容可能に形成されているとともに、前記ベース体及びカバー体のうちの少なくともいずれか一方に、その長さ方向に対して交差する方向に延びる突部が前記長さ方向に沿って複数に形成された長尺物収容部材と、
前記長尺物収容部材に取着される取着体とより構成され、
前記取着体は取着体本体を備え、同取着体本体には前記突部の内側に嵌合される嵌合部と、長尺物収容部材内における長尺物の敷設又は長尺物収容部材の敷設に係る機能を発揮する機能部材を当該取着体本体に取付けるための取付部とが一体に設けられ、前記ベース体及びカバー体のうちの少なくともいずれか一方の突部の内側に前記嵌合部が嵌合されるとともに、前記取付部によって取着体本体に取付けられた機能部材により長尺物収容部材に前記機能を発揮する機能部が設けられていることを特徴とする長尺物収容装置。
【発明の詳細な説明】
【０００１】
【発明の属する技術分野】
本発明は、例えば、地中に埋設されたり、地表に露出した状態で敷設されたりするトラフ内に収容されたケーブルを保持するために、前記トラフの内部に取着される取着体及び同取着体を備えた長尺物収容装置に関するものである。
【０００２】
【従来の技術】
従来より、建物の屋外には、四角筒状をなすとともに、長尺状をなすコンクリート製のトラフが敷設され、そのトラフにより同トラフ内に収容された長尺物としてのケーブルが外部の要因から保護されていた（例えば、特許文献１参照。）。このトラフはＵ字状をなすトラフ本体と、四角板状をなす蓋体とから構成されている。トラフ本体の内底面からは中間区分壁部が一体的に立設され、この中間区分壁部によりトラフ内に敷設されたケーブルが種類によって区分されている。即ち、中間区分壁部は、トラフ内に敷設されたケーブルを区分するという機能を発揮する機能部としてトラフ内に設けられている。
【０００３】
【特許文献１】
特開２００２−１９９５３２号公報
【０００４】
【発明が解決しようとする課題】
ところが、上記従来のコンクリート製のトラフにおいては、前記中間区分壁部をトラフ内に設けるには、トラフ本体の成形時に中間区分壁部を一体成形しなければならない。従って、トラフに中間区分壁部を設置することを容易に行うことができないという問題があった。
【０００５】
本発明は、上記従来技術に存在する問題点に着目してなされたものである。その目的とするところは、長尺物収容部材内における長尺物の敷設又は長尺物収容部材の敷設に係る機能を発揮することができる機能部を、同長尺物収容部材に容易に設けることができる取着体及び同取着体を備えた長尺物収容装置を提供することにある。
【０００６】
【課題を解決するための手段】
上記問題点を解決するために、請求項１に記載の発明は、長尺状をなすベース体及びカバー体より筒状に構成され、内部に長尺物を収容可能に形成されているとともに、前記ベース体及びカバー体のうちの少なくともいずれか一方に、その長さ方向に対して交差する方向に延びる突部が前記長さ方向に沿って複数に形成された長尺物収容部材に取着される取着体であって、取着体本体には、前記突部の内側に嵌合可能な嵌合部と、長尺物収容部材内における長尺物の敷設又は長尺物収容部材の敷設に係る機能を発揮する機能部とが一体に設けられ、前記ベース体及びカバー体のうちの少なくともいずれか一方の突部の内側に前記嵌合部が嵌合された状態で、長尺物収容部材に前記機能部を設けることを要旨とする。
【０００７】
請求項２に記載の発明は、請求項１に記載の長尺物収容部材に取着される取着体において、前記機能部は、長尺物収容部材内における長尺物の敷設に係る機能として、当該長尺物収容部材内に敷設された長尺物を支持する機能を発揮する支持部であることを要旨とする。
【０００８】
請求項３に記載の発明は、請求項２に記載の長尺物収容部材に取着される取着体において、前記長尺物は同軸ケーブルに支持線が一体形成されたものであり、前記支持部は前記同軸ケーブルを支持可能に形成されているとともに、前記支持線を収容するための逃がし部が形成されていることを要旨とする。
【０００９】
請求項４に記載の発明は、請求項１に記載の長尺物収容部材に取着される取着体において、前記機能部は、長尺物収容部材内における長尺物の敷設に係る機能として、長尺物収容部材内への長尺物の引込みを補助する機能を発揮する引込ローラであることを要旨とする。
【００１０】
請求項５に記載の発明は、請求項１に記載の長尺物収容部材に取着される取着体において、前記機能部は、長尺物収容部材の敷設に係る機能として、当該長尺物収容部材の長さ方向における端部の開口を閉鎖する機能を発揮するエンドプレートであることを要旨とする。
【００１１】
請求項６に記載の発明は、請求項１に記載の長尺物収容部材に取着される取着体において、前記機能部は、長尺物収容部材の敷設に係る機能として、当該長尺物収容部材の長さ方向における端部を連結体に連結する機能を発揮する連結部であることを要旨とする。
【００１２】
請求項７に記載の発明は、請求項１に記載の長尺物収容部材に取着される取着体において、前記機能部は、長尺物収容部材内における長尺物の敷設に係る機能として、当該長尺物収容部材内に敷設された複数の長尺物を分離すべく同長尺物収容部材内を仕切る機能を発揮する仕切部であることを要旨とする。
【００１３】
請求項８に記載の発明は、長尺状をなすベース体及びカバー体より筒状に構成され、内部に長尺物を収容可能に形成されているとともに、前記ベース体及びカバー体のうちの少なくともいずれか一方に、その長さ方向に対して交差する方向に延びる突部が前記長さ方向に沿って複数に形成された長尺物収容部材に取着される取着体であって、取着体本体には、前記突部の内側に嵌合可能な嵌合部と、長尺物収容部材内における長尺物の敷設又は長尺物収容部材の敷設に係る機能を発揮する機能部材を取着体本体に取付けるための取付部とが一体に設けられ、前記ベース体及びカバー体のうちの少なくともいずれか一方の突部の内側に前記嵌合部が嵌合された状態で、前記取付部によって取着体本体に取付けられた機能部材により、長尺物収容部材に前記機能を発揮する機能部を設けることを要旨とする。
【００１４】
請求項９に記載の発明は、請求項８に記載の長尺物収容部材に取着される取着体において、前記機能部材は、長尺物収容部材内における長尺物の敷設に係る機能として、当該長尺物収容部材内に敷設された複数の長尺物を分離すべく同長尺物収容部材内を仕切る機能を発揮する仕切板であり、前記取付部は仕切板に係合した取付部材を取着体本体に固定部材で取付けるための透孔又は仕切板を保持する仕切板保持部であることを要旨とする。
【００１５】
請求項１０に記載の発明は、請求項８に記載の長尺物収容部材に取着される取着体において、前記機能部材は、長尺物収容部材内における長尺物の敷設に係る機能として、当該長尺物収容部材内に敷設された長尺物を保持する機能を発揮する保持部材であり、前記取付部は保持部材に設けられた係合部と係合可能な被係合部であることを要旨とする。
【００１６】
請求項１１に記載の発明は、請求項１〜請求項１０のいずれか一項に記載の長尺物収容部材に取着される取着体において、前記嵌合部は、前記突部の内側に嵌合した状態で、当該突部の内側に形成された係止部に係止可能に形成されていることを要旨とする。
【００１７】
請求項１２に記載の発明は、長尺状をなすベース体及びカバー体より筒状に構成され、内部に長尺物を収容可能に形成されているとともに、前記ベース体及びカバー体のうちの少なくともいずれか一方に、その長さ方向に対して交差する方向に延びる突部が前記長さ方向に沿って複数に形成された長尺物収容部材と、前記長尺物収容部材に取着される取着体とより構成され、前記取着体は取着体本体を備え、同取着体本体には前記突部に嵌合される嵌合部と、長尺物収容部材内における長尺物の敷設又は長尺物収容部材の敷設に係る機能を発揮する機能部とが一体に設けられ、前記ベース体及びカバー体のうちの少なくともいずれか一方の突部の内側に前記嵌合部が嵌合されて長尺物収容部材に前記機能部が設けられていることを要旨とする。
【００１８】
請求項１３に記載の発明は、長尺状をなすベース体及びカバー体より筒状に構成され、内部に長尺物を収容可能に形成されているとともに、前記ベース体及びカバー体のうちの少なくともいずれか一方に、その長さ方向に対して交差する方向に延びる突部が前記長さ方向に沿って複数に形成された長尺物収容部材と、前記長尺物収容部材に取着される取着体とより構成され、前記取着体は取着体本体を備え、同取着体本体には前記突部の内側に嵌合される嵌合部と、長尺物収容部材内における長尺物の敷設又は長尺物収容部材の敷設に係る機能を発揮する機能部材を当該取着体本体に取付けるための取付部とが一体に設けられ、前記ベース体及びカバー体のうちの少なくともいずれか一方の突部の内側に前記嵌合部が嵌合されるとともに、前記取付部によって取着体本体に取付けられた機能部材により長尺物収容部材に前記機能を発揮する機能部が設けられていることを要旨とする。
【００１９】
【発明の実施の形態】
（第１の実施形態）
以下、本発明を具体化した長尺物収容部材に取着される取着体及び同取着体を備えた長尺物収容装置の第１の実施形態を図１〜図４に従って説明する。
【００２０】
図１に示すように、取着体を備えた長尺物収容装置（以下、単に長尺物収容装置１１と記載する）１１は、長尺物収容部材としての長尺状をなす合成樹脂製のトラフ１２と、同トラフ１２に取着される略Ｕ字状をなす取着体としてのサドル１３とから構成されている。
【００２１】
まず、前記トラフ１２について説明する。トラフ１２は長尺物としてのケーブルＫを内部に収容し、そのケーブルＫを外部要因から保護するために地中に埋設されたり、地表に露出した状態で敷設されるものである。なお、図２に示すように、前記ケーブルＫは同軸ケーブルＫ１と、同軸ケーブルＫ１に一体的に設けられた同軸ケーブルＫ１より小径をなす支持線Ｋ２とより形成されている。前記同軸ケーブルＫ１はアルミパイプ等よりなる内部導体と、その内部導体の外周に設けられたアルミラミネートテープ等よりなる外部導体とをポリエチレン製の被覆体により被覆して形成されている。そして、前記同軸ケーブルＫ１の外面には前記支持線Ｋ２が、当該同軸ケーブルＫ１の長さ方向に沿って延びるように一体的に設けられ、支持線Ｋ２は同軸ケーブルＫ１の外周面より外方へ突出している。
【００２２】
図１に示すように、トラフ１２は、長尺状をなすとともに、半筒状をなすベース体１４とカバー体１５とを組付けて筒状に構成されている。図４に示すように、前記ベース体１４は、その長さ方向に対して直交する面における断面視が略Ｕ字状に形成され、上方に開口するように形成されている。また、図１及び図２に示すように、ベース体１４の壁面は、ベース体１４の長さ方向に凹凸をなす波形状に形成されている。
【００２３】
即ち、図２に示すように、ベース体１４は、壁面の外側に突出する突部としてのベース外側突条１４ａと、壁面の内側に突出するベース内側突条１４ｂとが、ベース体１４の長さ方向に沿って交互に複数並設されて形成されている。各ベース外側突条１４ａ及び各ベース内側突条１４ｂはそれぞれベース体１４の長さ方向に対して直交する方向に延びるとともに、その直交する面における断面視が略Ｕ字状をなすように形成されている。それらベース外側突条１４ａ及びベース内側突条１４ｂはそれぞれ互いに平行であるとともに、隣接するベース外側突条１４ａ及びベース内側突条１４ｂ間の間隔が一定となっている。隣接するベース内側突条１４ｂの間には、それぞれ内部空間が形成されている。そして、各内部空間によりベース体１４には凹部としてのベース凹条１４ｃが複数箇所に形成され、各ベース凹条１４ｃはそれぞれベース体１４の長さ方向に対して直交する方向に延びるように、ベース体１４の内面に凹設されている。
【００２４】
さらに、図４に示すように、各ベース外側突条１４ａの両端部には、同ベース外側突条１４ａを形成する壁がベース体１４内方へ延びるように形成された段差部１４ｇが形成されている。そして、この段差部１４ｇの下面により、ベース凹条１４ｃ内には係止部が形成されている。各段差部１４ｇの上面にはそれぞれ係合突部１４ｅが上方へ延びるように形成され、各係合突部１４ｅの外側面にはそれぞれ係合突起１４ｆが外方に向かって突設されている。
【００２５】
次に、前記カバー体１５について説明する。図４に示すように、前記カバー体１５は、その長さ方向に対して直交する面における断面視が略逆Ｕ字状に形成され、下方に開口するように形成されている。図２に示すように、カバー体１５の壁面は、カバー体１５の長さ方向に凹凸をなす波形状に形成されている。即ち、カバー体１５は、壁面の外側に突出する突部としてのカバー外側突条１５ａと、図４に示すように、壁面の内側に突出するカバー内側突条１５ｂとが、カバー体１５の長さ方向に沿って交互に複数並設されて形成されている。各カバー外側突条１５ａ及び各カバー内側突条１５ｂはそれぞれカバー体１５の長さ方向に対して直交する方向に延びるとともに、その直交する面における断面視が略Ｕ字状をなすように形成されている。それらカバー外側突条１５ａ及びカバー内側突条１５ｂはそれぞれ互いに平行であるとともに、隣接するカバー外側突条１５ａ及びカバー内側突条１５ｂ間の間隔が一定となっている。
【００２６】
隣接するカバー内側突条１５ｂの間には、それぞれ内部空間が形成され、その内部空間により、カバー体１５には凹部としてのカバー凹条１５ｄが形成されている。各カバー外側突条１５ａの両端部には、それぞれ係合段部１５ｃがカバー体１５の内方へ向かって水平に延びた後、下方へ延びるように屈曲形成されている。そして、各カバー凹条１５ｄ内に各ベース外側突条１４ａの両係合突部１４ｅをそれぞれ嵌入させ、さらに係合突起１４ｆと係合段部１５ｃとを係合させることにより、ベース体１４とカバー体１５とが組み付けられ、トラフ１２が構成される。
【００２７】
次に、サドル１３について説明する。このサドル１３は、正面視略Ｕ字状をなす取着体本体１６を備え、さらに、サドル１３には機能部材としての保持部材１７を取付け可能に形成されている。図２及び図４に示すように、前記取着体本体１６の上部中央には、第１収容凹部１８ａが、下方に向かって半円状に凹むように形成され、前記第１収容凹部１８ａから、逃がし部としての第２収容凹部１８ｂが下方に延びるように取着体本体１６に凹設されている。図４に示すように、取着体本体１６において、前記第１収容凹部１８ａの両側には、貫通孔１９が取着体本体１６を上下方向に貫通して穿設され、各貫通孔１９内にボルト等を挿通可能になっている。
【００２８】
加えて、取着体本体１６には、Ｕ字状に延びる嵌合部２０が形成され、この嵌合部２０は前記ベース外側突条１４ａの相似形状に形成されている。嵌合部２０のＵ字方向への長さはベース外側突条１４ａのＵ字方向への長さとほぼ同じに形成され、図３に示すように、嵌合部２０の厚みは、ベース外側突条１４ａを形成する相対向する壁面の間隔より若干小さく設定されている。
【００２９】
そして、嵌合部２０はベース外側突条１４ａの内側、即ち前記ベース凹条１４ｃ内に嵌合可能に形成されている。図２及び図４に示すように、前記取着体本体１６の上部において、前記第１収容凹部１８ａの側部となる位置には、被係合部としての係合凹部２２が取着体本体１６と一体に形成されている。この係合凹部２２は、前記保持部材１７の両端部に設けられた係合部と係合可能に形成され、前記保持部材１７を取着体本体１６に取付けるための取付部として形成されている。また、嵌合部２０の延びる方向における両端面には掛止溝２０ａが凹設されている。
【００３０】
前記保持部材１７は略逆Ｕ字状に湾曲した板状に形成され、その保持部材１７の長さ方向における両端部には前記係合凹部２２に係合可能な係合突起１７ａが、前記係合部として突設されている。両係合突起１７ａを各係合凹部２２に係合させることにより、保持部材１７が取着体本体１６に取付けられる。保持部材１７と取着体本体１６との組付けにより、正面視円形状をなす孔が形成され、その孔によりケーブルＫを保持することが可能となる。この保持部材１７は取着体本体１６に取付けられることにより、サドル１３及び保持部材１７によってケーブルＫを保持して、同ケーブルＫがトラフ１２内の幅方向及び長さ方向へ移動するのを防止する機能を発揮する。即ち、保持部材１７は、トラフ１２内に敷設されるケーブルＫを保持するといった、トラフ１２内におけるケーブルＫの敷設に係る機能を発揮する機能部として作用するものである。
【００３１】
次に、長尺物収容装置１１について説明する。
長尺物収容装置１１を形成するには、まず、ベース体１４とカバー体１５とが組み付けられていない状態において、ベース体１４を必要本数だけ敷設する。次に、取着体本体１６を、ベース体１４の上部開口側から、ベース外側突条１４ａの内側、即ちベース凹条１４ｃに向かって押し込む。すると、嵌合部２０の外面により、両係合突部１４ｅを形成するベース体１４の壁が外方へ押圧され、嵌合部２０が両係合突部１４ｅの内側を通過する。その後、係合突部１４ｅを形成するベース体１４の壁面が元の形状に復帰して、図３及び図４に示すように、嵌合部２０がベース凹条１４ｃに嵌合され、取着体本体１６、即ちサドル１３がベース体１４に取着される。
【００３２】
ベース体１４に対するサドル１３の取着状態では、嵌合部２０の外側面全体が、ベース外側突条１４ａの内面と当接しているため、その当接によりサドル１３がベース体１４の長さ方向へ移動することが防止される。また、嵌合部２０の上面と段差部１４ｇとが係止可能な位置に配置されることにより、サドル１３が上方へ移動しようとしても、嵌合部２０の上面と段差部１４ｇとが係止するためサドル１３のベース体１４の上方への抜け出しが防止される。加えて、取着体本体１６の第１収容凹部１８ａ及び第２収容凹部１８ｂにより、ベース体１４にはケーブルＫを収容、支持可能な部位が形成される。続けて、上記と同様に、複数のサドル１３をベース体１４の長さ方向に沿った適宜位置、例えば、ベース体１４の両端部と中央部に一定間隔をおいて複数箇所に取着する。なお、ベース体１４に対するサドル１３の取着位置は、任意でありサドル１３同士の間隔が一定でなくてもよく、サドル１３をベース体１４に１個だけ取着してもよい。
【００３３】
次いで、図４に示すように、ケーブルＫの支持線Ｋ２を第２収容凹部１８ｂに収容して第１収容凹部１８ａから逃がし、同軸ケーブルＫ１を第１収容凹部１８ａに収容する。続けて、保持部材１７の係合突起１７ａをそれぞれ係合凹部２２に係合させ、サドル１３に保持部材１７を取付けると、保持部材１７がベース体１４内に設けられる。そして、同軸ケーブルＫ１は第１収容凹部１８ａ内に保持部材１７によって保持され、支持線Ｋ２は第２収容凹部１８ｂ内に収容される。保持部材１７がサドル１３に取付けられることにより、ケーブルＫは取着体本体１６と保持部材１７の間に保持される。
【００３４】
その結果、ケーブルＫのサドル１３からの上方への抜け出しが防止されるとともに、ケーブルＫはベース体１４の幅方向の中央を通り、長さ方向に延びる軸線上に敷設される。続いて、ベース体１４にカバー体１５を組み付けてトラフ１２を構成すると、トラフ１２とサドル１３とよりなる長尺物収容装置１１が構成される。そして、トラフ１２内には、保持部材１７により機能部が設けられ、その機能部によりケーブルＫをトラフ１２内に保持するといった機能が発揮される。
【００３５】
なお、取着体本体１６をベース体１４から取外すには、カバー体１５をベース体１４から取外し、掛止溝２０ａにマイナスドライバの先端を掛止させる。さらに、そのマイナスドライバの基端側を手で把持し、マイナスドライバの軸部をベース体１４の開口端を支点として、マイナスドライバの把持した側を下げるようにしてマイナスドライバの先端側を押し上げる。すると、マイナスドライバの軸部により、ベース体１４の開口端が外方へ押し出され、嵌合部２０の上方にある段差部１４ｇが外側へ移動する。さらに、マイナスドライバの基端側を押し下げると、取着体本体１６が上方へ持ち上げられるとともに、ベース外側突条１４ａの内側に対する嵌合部２０の嵌合が解除されて取着体本体１６がベース体１４から取り外される。
【００３６】
上記の第１の実施形態によれば、以下のような特徴を得ることができる。
（１）ベース凹条１４ｃに嵌合部２０を嵌合することにより、サドル１３をベース体１４に取付けることができ、そのサドル１３を用いて保持部材１７をトラフ１２内に設けることができる。そして、トラフ１２に設けられた保持部材１７を用いてトラフ１２内にケーブルＫを保持することができる。その結果、トラフ１２内にケーブルＫを保持するための保持部材１７を、トラフ１２内に容易に設けることができ、また、掛止溝２０ａを使用することにより、サドル１３及び保持部材１７をトラフ１２から容易に取外すことができる。
【００３７】
（２）ベース凹条１４ｃに嵌合部２０を嵌合することにより、サドル１３をベース体１４に取着することができ、そのサドル１３を用いて保持部材１７をトラフ１２内に設けることができる。従って、トラフ１２にビス止め等によりサドル１３を取着する場合と比較して、保持部材１７をワンタッチでトラフ１２に設けることができるとともに、特にベース体１４がビス等により損傷を受ける不具合を無くすことができる。また、掛止溝２０ａを使用することにより、サドル１３をベース体１４から取外すことができる。そのため、ビス止め等によってトラフ１２に取着されたサドル１３を、ビスを取り外してトラフ１２から取外す場合と異なり、サドル１３をトラフ１２から容易に取外すことができる。
【００３８】
（３）ベース凹条１４ｃに嵌合部２０が嵌合されることにより、その嵌合部２０によってベース体１４の開口側端部に位置する係合突部１４ｅを外方へ押圧することができる。そのため、係合突起１４ｆを係合段部１５ｃに係合する方向へ押圧してそれらの係合を維持することができ、カバー体１５がベース体１４から外れる不具合の発生を防止することができる。
【００３９】
（４）ベース凹条１４ｃのほぼ全体に亘って嵌合部２０が嵌合するため、サドル１３のベース体１４の長さ方向への移動を防止することができる。従って、ケーブルＫを保持したサドル１３及び保持部材１７がトラフ１２内を長さ方向へ移動してしまう不具合の発生を防止することができる。
【００４０】
（５）嵌合部２０の上面が、段差部１４ｇに係止することにより、サドル１３の上方への移動を防止することができる。従って、サドル１３がベース凹条１４ｃ内から容易に外れてしまうといった不具合の発生を防止して、ケーブルＫをトラフ１２内の一定位置に敷設することができる。
【００４１】
（６）サドル１３には第１収容凹部１８ａ及び第２収容凹部１８ｂが形成されている。そのため、サドル１３にケーブルＫを保持させたとき、支持線Ｋ２を第２収容凹部１８ｂ内に逃がした状態で同軸ケーブルＫ１を第１収容凹部１８ａで支持することができる。従って、第２収容凹部１８ｂが形成されていない場合と比較して、トラフ１２内にケーブルＫを安定した状態に保持することができる。
【００４２】
（７）ベース体１４及びカバー体１５はそれぞれ凹凸状に形成されているため、それらの長さ方向に沿ってベース外側突条１４ａ及びカバー外側突条１５ａが複数箇所に形成されている。そのため、ベース体１４の長さ方向に沿った適宜位置にサドル１３を取着することができる。従って、サドル１３及び保持部材１７によりケーブルＫの適宜位置を保持することが可能となり、トラフ１２内にケーブルＫを安定した状態で敷設することができる。
【００４３】
（第２の実施形態）
次に、本発明を具体化した長尺物収容部材に取着される取着体及び同取着体を備えた長尺物収容装置の第２の実施形態を図５及び図６にしたがって説明する。なお、第２の実施形態は、第１の実施形態の取着体を変更したのみの構成であるため、同様の部分についてはその詳細な説明を省略する。
【００４４】
図６に示すように、取着体を備えた長尺物収容装置（以下、単に長尺物収容装置３１と記載する）３１は、長尺物収容部材としての前記トラフ１２と、同トラフ１２に取着される略枠状をなす取着体としてのコネクタ３２とから構成されている。
【００４５】
合成樹脂材料製の前記コネクタ３２は、トラフ１２の長さ方向における一端部に取着された状態で、同トラフ１２を連結体としての配線用ボックスＨに連結可能とするものである。なお、前記配線用ボックスＨは合成樹脂材料又はコンクリート材料により、開口を有する箱状に形成されているものである。
【００４６】
図５に示すように、前記コネクタ３２は、四角枠状をなす取着体本体３５を備え、この取着体本体３５は、略逆Ｕ字状をなす蓋体３４と正面視略Ｕ字状をなすコネクタ本体３３とを組み付けて形成されている。前記コネクタ本体３３は、略Ｕ字状の板状をなす機能部としての第１連結部３３ａを備え、前記第１連結部３３ａのＵ字状に切り欠かれた部位の縁部に沿って第１嵌合部３３ｃが形成されている。第１嵌合部３３ｃのＵ字に沿った長さはベース外側突条１４ａのＵ字に沿った長さとほぼ同じに形成され、第１嵌合部３３ｃの厚みは、前記ベース外側突条１４ａを形成する相対向する壁面の間隔より若干小さく設定されている。そして、第１嵌合部３３ｃは、ベース外側突条１４ａの内側、即ちベース凹条１４ｃに嵌合可能に形成されている。コネクタ本体３３において、前記第１連結部３３ａの左右上部にはそれぞれ連結片３３ｄが突設されている。また、前記連結片３３ｄ及び第１連結部３３ａの下部の左右両部にはそれぞれ貫通孔３３ｅが穿設されている。
【００４７】
前記蓋体３４は逆Ｕ字状の板状をなす機能部としての第２連結部３４ａを備え、その第２連結部３４ａの逆Ｕ字状の切り欠きの縁部に沿って第２嵌合部３４ｂが形成されている。前記第２嵌合部３４ｂは前記カバー外側突条１５ａの内側、即ちカバー凹条１５ｄに嵌合可能に形成されている。第２連結部３４ａの左右両下部の裏面には、それぞれ受容凹部３４ｃが凹設され、さらに、第２連結部３４ａの左右両下部にはそれぞれスリット３４ｄが形成されている。
【００４８】
そして、図６に示すように、各受容凹部３４ｃに前記連結片３３ｄを収容させ、各スリット３４ｄから貫通孔３３ｅにボルトＢを挿通することにより、コネクタ本体３３と蓋体３４とが連結され、取着体本体３５が構成されるとともに、コネクタ３２が形成されるようになっている。このコネクタ３２において、前記第１連結部３３ａ及び第２連結部３４ａは、トラフ１２の端部を配線用ボックスＨに連結する機能を発揮する機能部として形成されている。前記第１連結部３３ａ及び第２連結部３４ａは、トラフ１２の敷設に係る機能として、トラフ１２の長さ方向における端部を前記配線用ボックスＨに連結するといった、トラフ１２の端部処理に係る機能を発揮する。
【００４９】
次に、長尺物収容装置３１について説明する。長尺物収容装置３１を形成するには、まず、ベース体１４の長さ方向における端部に位置するベース凹条１４ｃに、第１嵌合部３３ｃを嵌合し、コネクタ本体３３をベース体１４に取着するとともに、第１連結部３３ａをベース体１４に設ける。次いで、ボルトＢを第１連結部３３ａの下側の貫通孔３３ｅを貫通させ、さらに、そのボルトＢを配線用ボックスＨの下部を貫通させる。そして、その一対のボルトＢにナットＮを螺合してコネクタ本体３３を配線用ボックスＨに連結する。
【００５０】
続いて、ベース体１４内に長尺物としてのケーブル（図示せず）を敷設し、そのケーブルを配線用ボックスＨに設けられた挿通孔から同配線用ボックスＨ内に引込む。続けて、上記のようにボルトＢを用いてコネクタ本体３３と蓋体３４とを組み付けるとともに、そのボルトＢを配線用ボックスＨを貫通させた後、同ボルトＢにナットＮを螺合する。その結果、コネクタ３２がベース体１４に取着されるとともに、第１連結部３３ａ及び第２連結部３４ａを用いて配線用ボックスＨにベース体１４が連結される。
【００５１】
そして、ベース体１４にカバー体１５を組み付けると、カバー外側突条１５ａの内側、即ちカバー凹条１５ｄに第２嵌合部３４ｂが嵌合されるとともに、ベース体１４とカバー体１５とよりトラフ１２が構成される。その結果、トラフ１２とコネクタ３２とよりなる長尺物収容装置３１が構成されるとともに、トラフ１２に設けられた第１連結部３３ａ及び第２連結部３４ａを用いて、トラフ１２の端部が配線用ボックスＨに連結される。
【００５２】
従って、第２の実施形態においても、ベース外側突条１４ａの内側に第１嵌合部３３ｃを嵌合し、さらにはカバー外側突条１５ａの内側に第２嵌合部３４ｂを嵌合することにより、トラフ１２にコネクタ３２を取着して第１連結部３３ａ及び第２連結部３４ａをトラフ１２に容易に設けることができる。そして、第１連結部３３ａ及び第２連結部３４ａを使用してトラフ１２の端部を配線用ボックスＨに容易に連結することができ、トラフ１２の敷設に係る処理を容易に行うことができる。なお、長尺物としての電線管や保護管といった管類をトラフ１２内に敷設し、その管類内にケーブルを敷設してもよい。
【００５３】
（第３の実施形態）
次に、本発明を具体化した長尺物収容部材に取着される取着体及び同取着体を備えた長尺物収容装置の第３の実施形態を図７及び図８にしたがって説明する。なお、第３の実施形態は、第１の実施形態の取着体を変更したのみの構成であるため、同様の部分についてはその詳細な説明を省略する。
【００５４】
図８に示すように、取着体を備えた長尺物収容装置（以下、単に長尺物収容装置４１と記載する）４１は、トラフ１２のカバー体１５は図示しないが、長尺物収容部材としての前記トラフ１２と、同トラフ１２に取着される取着体としての略Ｕ字状をなす仕切板取付部材４２とから構成されている。図７に示すように、仕切板取付部材４２は、機能部材としての仕切板４５を取付けることができる。前記仕切板４５はトラフ１２内における長尺物の敷設に係る機能として、トラフ１２内に敷設された長尺物を分離するために、トラフ１２内を仕切る機能を発揮するものである。前記仕切板４５は細長板状に形成され、その下端には係合片４５ａが形成されている。
【００５５】
前記仕切板取付部材４２は略Ｕ字状をなす取着体本体４３を備え、同取着体本体４３によりベース外側突条１４ａの内側、即ちベース凹条１４ｃに嵌合可能な嵌合部が形成されている。この取着体本体４３の底部のほぼ中央には透孔４３ａが穿設され、この透孔４３ａは、機能部材としての前記仕切板４５を取着体本体４３に取付けるための取付部として取着体本体４３に設けられている。
【００５６】
また、取着体本体４３には略Ｓ字状をなす取付部材４４が取付けられ、この取付部材４４は基端部から前記透孔４３ａに固定部材としてのビス４６を固定することにより取着体本体４３に設けられる。取付部材４４の先端には鉤状をなす係合鉤部４４ａが形成され、この係合鉤部４４ａは前記仕切板４５の係合片４５ａに係合可能に形成されている。
【００５７】
さて、上記長尺物収容装置４１を形成するには、まず、取着体本体４３を嵌合部として用いてベース凹条１４ｃに嵌合し、複数の仕切板取付部材４２をベース体１４の長さ方向に間隔をおいて取着する。次に、仕切板４５の係合片４５ａに対し、複数の取付部材４４の係合鉤部４４ａを係合させる。さらに、各取付部材４４の基端部から透孔４３ａにビス４６を固定すると、取付部材４４が仕切板取付部材４２に取付けられるとともに、各仕切板取付部材４２に仕切板４５が取り付けられる。
【００５８】
その結果、仕切板取付部材４２を用いて仕切板４５がベース体１４に取付けられ、その仕切板４５によりベース体１４内の空間が幅方向に区画される。そして、図示しない長尺物（ケーブル類又は管類）を、ベース体１４内に敷設する。このとき、仕切板４５によりケーブル類を種類別に分別して敷設することが可能となる。最後に、カバー体１５をベース体１４に組み付けることによりトラフ１２が構成され、仕切板取付部材４２により仕切板４５がトラフ１２内に設けられるとともに、その仕切板４５により同トラフ１２内の空間は仕切られる。即ち、仕切板４５により、トラフ１２内に敷設された長尺物を分離するために、トラフ１２内を仕切る機能を発揮する機能部が設けられる。
【００５９】
従って、第３の実施形態においても、ベース凹条１４ｃに取着体本体４３を嵌合することにより、仕切板取付部材４２をベース体１４に取着し、その仕切板取付部材４２によりトラフ１２内に仕切板４５を設けることができる。そのため、仕切板４５により種類の異なる長尺物（例えばケーブル）を種類別に分けてトラフ１２内に敷設する作業を容易に行うことができる。また、仕切板４５と仕切板取付部材４２とを別体形成としたため、仕切板４５のように長尺状をなす部材の任意の位置に、取付部材４４を介して仕切板取付部材４２を取付けることができる。その結果、仕切板取付部材４２間の間隔を調整することができ、それら仕切板取付部材４２により仕切板４５を安定した状態でベース体１４に設置することができる。なお、取着体本体４３をカバー凹条１５ｄに嵌合して仕切板取付部材４２をカバー体１５に取着してもよい。
【００６０】
（第４の実施形態）
次に、本発明を具体化した長尺物収容部材に取着される取着体及び同取着体を備えた長尺物収容装置の第４の実施形態を図９にしたがって説明する。なお、第４の実施形態は、第１の実施形態の取着体を変更したのみの構成であるため、同様の部分についてはその詳細な説明を省略する。
【００６１】
図９に示すように、取着体を備えた長尺物収容装置（以下、単に長尺物収容装置５１と記載する）５１は、長尺物収容部材としての前記トラフ１２と、同トラフ１２に取着される取着体としての略Ｗ字状をなす仕切部材５２とから構成されている。この第４の実施形態では、取着体は、トラフ１２内に敷設された複数の長尺物を分離すべく同トラフ１２内を仕切る仕切部材５２に具体化されている。前記仕切部材５２は、略Ｗ字状をなす取着体本体５３を備え、同取着体本体５３のＵ字状をなす部位によりベース外側突条１４ａの内側、即ちベース凹条１４ｃに嵌合可能な嵌合部が形成されている。取着体本体５３の中央部には、機能部としての仕切部５５が上方に向かって延びるように一体形成されている。この仕切部５５は、トラフ１２内における長尺物の敷設に係る機能として、トラフ１２内に敷設された複数の長尺物を分離すべくトラフ１２内を仕切る機能を発揮する。また、取着体本体５３において、仕切部５５の両側にはそれぞれ収容凹所５６が凹設されている。
【００６２】
そして、取着体本体５３をベース凹条１４ｃに嵌合することにより、取着体本体５３、即ち仕切部材５２がベース体１４に取着され、機能部としての仕切部５５がベース体１４に設置される。さらに、各収容凹所５６に長尺物としてのケーブル５７を収容する。そして、カバー体１５がベース体１４に組み付けられてトラフ１２が構成され、そのトラフ１２と仕切部材５２とにより長尺物収容装置５１が構成される。その結果、ベース体１４に取着された仕切部材５２により仕切部５５がトラフ１２内に設けられる。そして、その仕切部５５により、トラフ１２内に敷設された複数のケーブル５７を分離して敷設することができ、複数のケーブル５７が絡み合ったりする不都合の発生を防止することができる。なお、収容凹所５６に、長尺物としての電線管や保護管といった管類を収容してもよい。また、取着体本体５３をカバー凹条１５ｄに嵌合して仕切部材５２をカバー体１５に取着してもよい。
【００６３】
（第５の実施形態）
次に、本発明を具体化した長尺物収容部材に取着される取着体及び同取着体を備えた長尺物収容装置の第５の実施形態を図１０にしたがって説明する。なお、第５の実施形態は、第１の実施形態の取着体を変更したのみの構成であるため、同様の部分についてはその詳細な説明を省略する。
【００６４】
図１０に示すように、取着体を備えた長尺物収容装置（以下、単に長尺物収容装置６１と記載する）６１は、長尺物収容部材としての前記トラフ１２と、同トラフ１２に取着される取着体としての引込部材６２とから構成されている。この第５の実施形態では、取着体は、トラフ１２内に敷設される長尺物の、同トラフ１２内への引込みを補助するための引込部材６２に具体化されている。前記引込部材６２は横Ｄ字状をなす取着体本体６３を備え、その取着体本体６３には、前記嵌合部２０と同様の構成の嵌合部６４が形成されている。また、取着体本体６３の上部には３体の引込ローラ６５が機能部として回転可能に支持されている。各引込ローラ６５は、トラフ１２内における長尺物の敷設に係る機能として、長尺物としてのケーブル６６のトラフ１２内への引込みを補助する機能を発揮する。
【００６５】
そして、嵌合部６４をベース凹条１４ｃに嵌合することにより、取着体本体６３、即ち引込部材６２がベース体１４に取着されるとともに、機能部としての引込ローラ６５がベース体１４に設置される。さらに、ベース体１４にカバー体１５が組み付けられてトラフ１２が構成され、そのトラフ１２と引込部材６２とにより長尺物収容装置６１が構成される。その結果、ベース体１４に取着された引込部材６２により、トラフ１２内に引込ローラ６５が設けられる。そして、各トラフ１２内にケーブル６６が引込まれるとき、そのケーブル６６の移動に伴い引込ローラ６５が回転するため、ケーブル６６をトラフ１２内に引込む作業を速やかかつ容易に行うことができ、トラフ１２内にケーブル６６を敷設する作業を容易に行うことができる。なお、長尺物としての電線管や保護管といった管類をトラフ１２内に引込むときに引込部材６２を使用してもよい。また、嵌合部６４をカバー凹条１５ｄに嵌合して、引込部材６２をカバー体１５に取着してもよい。このとき、嵌合部６４と各引込ローラ６５との間にケーブル６６が挿通される。
【００６６】
（第６の実施形態）
次に、本発明を具体化した長尺物収容部材に取着される取着体及び同取着体を備えた長尺物収容装置の第６の実施形態を図１１及び図１２にしたがって説明する。なお、第６の実施形態は、第１の実施形態の取着体を変更したのみの構成であるため、同様の部分についてはその詳細な説明を省略する。
【００６７】
図１２に示すように、取着体を備えた長尺物収容装置（以下、単に長尺物収容装置７１と記載する）７１は、長尺物収容部材としての前記トラフ１２と、同トラフ１２に取着される取着体としてのエンド部材７２とから構成されている。この第６の実施形態では、取着体は、トラフ１２の長さ方向における開口端部を閉鎖するためのエンド部材７２に具体化されている。図１１に示すように、前記エンド部材７２は略四角板状をなす取着体本体７３より形成されている。その取着体本体７３の下半分の縁部には嵌合部７４が形成され、この嵌合部７４は前記嵌合部２０と同様の構成に形成され、ベース凹条１４ｃに嵌合可能に形成されている。
【００６８】
取着体本体７３において、前記嵌合部７４より肉薄の部分には略四角板状をなすエンドプレート７５が機能部として形成されている。このエンドプレート７５は、トラフ１２の敷設に係る機能として、トラフ１２に形成された開口を閉塞するといったトラフ１２の端部処理に関する機能を発揮するものである。そして、嵌合部７４をベース凹条１４ｃに嵌合することにより取着体本体７３、即ちエンド部材７２がベース体１４に取着され、図１２に示すように、エンドプレート７５がベース体１４に設置される。さらに、長尺物（ケーブル類又は管類）がベース体１４内に敷設された後、ベース体１４にカバー体１５を組み付けると、取着体本体７３のエンドプレート７５の縁部がカバー凹条１５ｄ内に入り込む。その結果、トラフ１２が構成されるとともに、トラフ１２とエンド部材７２とにより長尺物収容装置７１が構成され、ベース体１４に取着されたエンド部材７２によりトラフ１２の端部にエンドプレート７５が設けられる。そして、エンドプレート７５によりトラフ１２を開口を閉塞することができ、トラフ１２の端部処理を容易に行うことができる。なお、嵌合部７４をカバー凹条１５ｄに嵌合してエンド部材７２をカバー体１５に取着してもよい。
【００６９】
なお、上記実施形態は以下のように変更してもよい。
・  第１の実施形態において、保持部材１７の係合突起１７ａを取着体本体１６の係合凹部２２に係合させたが以下のように変更してもよい。保持部材１７に、係合突起１７ａの代わりに係合部としての係合凹部を形成し、取着体本体１６に、係合凹部２２の代わりに被係合部としての係合突起を形成して両者を係合させて組付けてもよい。
【００７０】
・  第１の実施形態において、カバー外側突条１５ａの内側、即ちカバー凹条１５ｄに嵌合部２０を嵌合してカバー体１５にサドル１３を取着してもよい。そして、そのサドル１３に保持部材１７を取付けてカバー体１５にケーブルＫを吊下げた状態で保持してもよい。
【００７１】
・  各実施形態では、ベース外側突条１４ａの内側のほぼ全体に亘って嵌合部が嵌合したが、取着体本体がカバー体１５及びベース体１４のうちの少なくともいずれか一方に取着可能であるならば、嵌合部の形状、形成位置等は任意に変更してもよい。
【００７２】
・  図１３に示すように、取着体としてのケーブル支持具７６をトラフ１２に取着して、そのトラフ１２とケーブル支持具７６とにより長尺物収容装置７７を構成してもよい。前記ケーブル支持具７６は第１の実施形態における取着体本体１６とほぼ同形状をなす取着体本体７８を備え、その取着体本体７８には嵌合部２０と同形状をなす嵌合部７９が形成されている。また、取着体本体７８の中央部には、機能部としての支持部８０が形成されている。この支持部８０は、長尺物の敷設に係る機能として、ケーブル類を支持し、トラフ１２内へのケーブルＫの敷設を容易とする機能を発揮するものである。
【００７３】
そして、嵌合部７９をベース凹条１４ｃに嵌合して取着体本体７８をベース体１４に取着することにより、ケーブル支持具７６がベース体１４に取着されるとともに、支持部８０がベース体１４に設けられる。さらに、ベース体１４にカバー体１５を組み付けることにより、トラフ１２が構成され、そのトラフ１２とケーブル支持具７６とにより長尺物収容装置７７が構成される。その結果、ベース体１４に取着されたケーブル支持具７６により、トラフ１２内に支持部８０が設けられる。このように構成した場合、取着体本体７８により、トラフ１２内の中央に図示しないケーブルを支持することができる。なお、支持部８０に長尺物としての電線管や保護管といった管類を支持させて、ケーブル支持具７６を取着体としての管類支持具として使用してもよい。
【００７４】
・  なお、図１３に示すように、前記ケーブル支持具７６には、支持部８０の側部に取着体本体７８を上下に貫通する貫通孔７８ａが機能部として穿設されている。そして、ケーブル支持具７６がベース体１４に取着された状態で、貫通孔７８ａにボルトＢを挿通し、さらに、そのボルトＢをベース体１４を貫通させてそのボルトＢの先端に長尺状をなす長尺物支持部材８１を取り付けてもよい。即ち、前記貫通孔７８ａはトラフ１２の敷設に係る機能として、トラフ１２に長尺物支持部材８１を固定する機能を発揮する機能部として取着体本体７８に設けられている。なお、このとき、トラフ１２は、図示しない支持具により、トラフ１２の敷設面より上方に支持されている。
【００７５】
前記長尺物支持部材８１は、上方に開口を有する四角筒状に形成されている。また、長尺物支持部材８１の上縁部には、前記ボルトＢを挿通可能な貫通孔８１ａが形成されている。そして、各貫通孔８１ａからベース体１４を貫通したボルトＢが貫通孔８１ａに挿通され、それらボルトＢにナットＮが螺合されることにより、長尺物支持部材８１がトラフ１２の下方に固定される。その長尺物支持部材８１内に長尺物を支持することができる。
【００７６】
・  図１４に示すように、トラフ１２を支持する支持台８２にトラフ１２を固定するために、ベース体１４の下面に、略三角枠状をなす取付板８３を取付け、その取付板８３を前記支持台８２の側面に固定してもよい。即ち、ベース体１４に取着された取着体本体１６の貫通孔１９を貫通したボルトＢを、前記取付板８３を貫通させ、そのボルトＢにナットＮを螺合してベース体１４の下面に取付板８３を取着する。前記貫通孔１９はトラフ１２の敷設に係る機能として、トラフ１２に前記取付板８３及び支持台８２を固定する機能を発揮する機能部として取着体本体１６に設けられている。
【００７７】
・  各実施形態では、各嵌合部の上面をベース体１４の段差部１４ｇに係止させて取着体本体の上方への抜け出しを防止したが、段差部１４ｇを省略して、嵌合部の上面を係止させなくてもよい。
【００７８】
・  第１の実施形態では、サドル１３と保持部材１７によりケーブルＫを保持させたが、長尺物としての電線管、パイプ、ケーブル保護管等を保持させてもよい。
【００７９】
・  第１の実施形態において、取着体本体１６の貫通孔１９を省略してもよい。また、取着体本体１６に第１収容凹部１８ａのみを形成し、第２収容凹部１８ｂを省略してもよい。
【００８０】
・  第２の実施形態において、コネクタ３２の第１連結部３３ａ及び第２連結部３４ａを使用して、連結体としてのコンクリートボックスや地中埋設箱等にトラフ１２を連結してもよい。
【００８１】
・  第３の実施形態において、仕切板取付部材４２において、取着体本体４３に仕切板４５を取付けるための仕切板保持部を取付部として一体形成してもよい。
【００８２】
・  各実施形態では、ベース体１４及びカバー体１５にそれぞれ突部としてのベース外側突条１４ａ及びカバー外側突条１５ａを形成したが、ベース体１４又はカバー体１５のみに突部としてのベース外側突条１４ａ又はカバー外側突条１５ａを形成してもよい。そして、ベース体１４又はカバー体１５のみに取着体を取着してもよい。
【００８３】
・  各実施形態では、長尺物収容部材としてトラフ１２に具体化したが、長尺物収容部材として、エアコン等に接続される冷媒管や排水用のダクト等を保護するものに具体化し、その長尺物収容部材に取着体を取着して機能部を設けてもよい。
【００８４】
次に、上記実施形態及び別例から把握できる技術的思想について、それらの効果とともに以下に追記する。
（１）前記嵌合部は突部の延びる方向のほぼ全体の内側に亘って嵌合されるべく突部と相似形状に形成されていることを特徴とする請求項１〜請求項１１のいずれか一項に記載の長尺物収容部材に取着される取着体。このように構成した場合、取着体本体の長尺物収容部材の長さ方向への移動を防止することができる。
【００８５】
（２）前記機能部は、長尺物収容部材の敷設に係る機能として、長尺物収容部材の端部処理又は長尺物収容部材に対する別部材の固定機能を発揮するものであることを特徴とする請求項１に記載の長尺物収容部材に取着される取着体。
【００８６】
（３）前記機能部は、長尺物収容部材の敷設に係る機能として、長尺物収容部材の端部処理又は長尺物収容部材に対する別部材の固定機能を発揮するものであることを特徴とする請求項１２に記載の長尺物収容装置。
【００８７】
【発明の効果】
本発明によれば、長尺物収容部材内における長尺物の敷設又は長尺物収容部材の敷設に係る機能を発揮することができる機能部を、同長尺物収容部材に容易に設けることができる。
【図面の簡単な説明】
【図１】第１の実施形態の長尺物収容装置を示す斜視図。
【図２】第１の実施形態の長尺物収容装置を構成する部材を示す斜視図。
【図３】ベース体にサドルを取着した状態を示す部分平面図。
【図４】長尺物収容装置内を示す図１の４−４線断面図。
【図５】第２の実施形態のコネクタを示す分解斜視図。
【図６】第２の実施形態のコネクタをトラフに取着した状態の断面図。
【図７】第３の実施形態の仕切板取付部材及び仕切板を示す斜視図。
【図８】仕切板取付部材及び仕切板をベース体に設けた状態の平面図。
【図９】第４の実施形態の長尺物収容装置を示す断面図。
【図１０】第５の実施形態の長尺物収容装置を示す断面図。
【図１１】第６の実施形態のエンド部材を示す斜視図。
【図１２】第６の実施形態の長尺物収容装置を示す斜視図。
【図１３】別例の取着体の使用方法を示す断面図。
【図１４】別例の取着体の使用方法を示す断面図。
【符号の説明】
Ｈ…連結体としての配線用ボックス、Ｋ，５７，６６…長尺物としてのケーブル、Ｋ１…同軸ケーブル、Ｋ２…支持線、１１，３１，４１，５１，６１，７１，７７…長尺物収容装置、１２…長尺物収容部材としてのトラフ、１３…取着体としてのサドル、１４…ベース体、１４ａ…突部としてのベース外側突条、１４ｇ…係止部としての段差部、１５…カバー体、１５ａ…突部としてのカバー外側突条、１６，３５，４３，５３，６３，７３，７８…取着体本体、１７…機能部材としての保持部材、１７ａ…係合部としての係合突起、１８ｂ…逃がし部としての第２収容凹部、１９…機能部としての貫通孔、２０，３３ｃ，３４ｂ，６４，７４，７９…嵌合部、２２…被係合部としての係合凹部、３２…取着体としてのコネクタ、３３ａ…機能部としての第１連結部、３４ａ…機能部としての第２連結部、４２…取着体としての仕切板取付部材、４３ａ…取付部としての透孔、４４…取付部材、４５…機能部材としての仕切板、４６…固定部材としてのビス、５２…取着体としての仕切部材、５５…機能部としての仕切部、６２…取着体としての引込部材、６５…機能部としての引込ローラ、７２…取着体としてのエンド部材、７５…機能部としてのエンドプレート、７６…取着体としてのケーブル支持具、７８ａ…機能部としての貫通孔、８０…機能部としての支持部、８１ａ…機能部としての貫通孔。
【図１】
2004274882.tif 000003
【図２】
2004274882.tif 000004
【図３】
2004274882.tif 000005
【図４】
2004274882.tif 000006
【図５】
2004274882.tif 000007
【図６】
2004274882.tif 000008
【図７】
2004274882.tif 000009
【図８】
2004274882.tif 000010
【図９】
2004274882.tif 000011
【図１０】
2004274882.tif 000012
【図１１】
2004274882.tif 000013
【図１２】
2004274882.tif 000014
【図１３】
2004274882.tif 000015
【図１４】
2004274882.tif 000016